(57)【要約】      （修正有）【課題】ファッション性を損なうことなくヘアスタイルなどによる頭囲の変化に対応して簡単に調整することができるつば付き帽子を提供する。【解決手段】クラウン部２の後端部に設定高さ位置から下端縁にかけて切欠部２ｘが形成されるとともに、クラウン部２の左右各側端部下方にそれぞれ伸縮自在なリボン４の一端が止着され、また、つば部３がクラウン部２の切欠部２ｘの間隔を除く下端周縁部の周長に相当する周長の内周縁部を有している。一方、つば部３の左右の後端縁は、クラウン部の切欠部にほぼ沿って連続するとともに、外周縁部に向かってそれらの間隔を漸増するように形成されている。このため、左右のリボン４を結束してクラウン部２の切欠部２ｘの間隔を頭囲に合わせて調整することができる。この際、つば部３の左右の後端縁の間隔も調整される。【選択図】図２
0003166445.tif 000002
【実用新案登録請求の範囲】
【請求項１】
クラウン部と、クラウン部の下端周縁部に内周縁部が縫製されたつば部とからなり、クラウン部の後端部に設定高さ位置から下端縁にかけて切欠部が形成されるとともに、クラウン部の左右各側端部下方にそれぞれ伸縮自在なリボンの一端が止着され、また、つば部が、クラウン部の切欠部の間隔を除く下端周縁部の周長に相当する周長の内周縁を有し、左右の後端縁がクラウン部の切欠部にほぼ沿うように連続するとともに、外周縁部に向かってそれらの間隔を漸増するように形成され、左右のリボンを結束してクラウン部の切欠部の間隔およびつば部の左右の後端縁の間隔を調整することを特徴とするつば付き帽子。
【考案の詳細な説明】
【技術分野】
【０００１】
この考案は、つば付き帽子に関するものである。
【背景技術】
【０００２】
一般に、つば付き帽子は、頭部に被ることにより、頭部を保護し、日差しを遮って首筋などの日焼けを防止する機能を備えている。そして、つば付き帽子は、メーカーにおいて、色柄模様、デザイン、素材などを組み合わせて製造され、ユーザーは、多種多様な帽子のなかから嗜好や服装、季節などに適合した特定の帽子を選択し、購入している。
【考案の概要】
【考案が解決しようとする課題】
【０００３】
ところで、前述したつば付き帽子にあっては、人によって頭囲は異なることから、メーカーにおいては、異なる色柄模様やデザイン、素材の組み合わせ毎に異なるサイズを用意する必要がある。一方、ユーザーにおいては、ヘアスタイルを変更することによって、あるいは、購入者とは異なる、例えば、子女が使用する場合、購入時に適正であった頭囲に若干長短が発生する。このように、購入時との頭囲の変化によって、つば付き帽子を被った際に、風によって飛ばされたり、窮屈に感じる場合が発生し得る。
【０００４】
本考案は、このような問題点に鑑みてなされたもので、ファッション性を損なうことなくヘアスタイルなどによる頭囲の変化に対応して簡単に調整することのできるつば付き帽子を提供するものである。
【課題を解決するための手段】
【０００５】
本考案は、クラウン部と、クラウン部の下端周縁部に内周縁部が縫製されたつば部とからなり、クラウン部の後端部に設定高さ位置から下端縁にかけて切欠部が形成されるとともに、クラウン部の左右各側端部下方にそれぞれ伸縮自在なリボンの一端が止着され、また、つば部が、クラウン部の切欠部の間隔を除く下端周縁部の周長に相当する周長の内周縁を有し、左右の後端縁がクラウン部の切欠部にほぼ沿うように連続するとともに、外周縁部に向かってそれらの間隔を漸増するように形成され、左右のリボンを結束してクラウン部の切欠部の間隔およびつば部の左右の後端縁の間隔を調整することを特徴とするものである。
【０００６】
本考案によれば、ヘアスタイルなどによって頭囲が変化する場合、左右のリボンの結束を解除し、改めて左右のリボンを適正な弾性力によって結束することができる。これにより、つば付き帽子のクラウン部の後部に形成された切欠部の間隔を調整しながら、リボンの弾性力によってクラウン部を介して頭部を緩やかに締め付けた状態に保持することができる。
【０００７】
この結果、人目につかないクラウン部の後部に切欠部を形成するとともに、左右のリボンを結束すれば、その結び目によってクラウン部の切欠部をほぼ覆い隠すことができることから、つば付き帽子としてのファッション性を損なうことがなく、また、頭囲の変化に対応して調整することが可能となり、ヘアスタイルや使用者の相違などによってもフィット感を高めて意図しない脱落を防止することができる。
【考案の効果】
【０００８】
本考案によれば、ファッション性を損なうことなくヘアスタイルなどによる頭囲の変化に対応して簡単に調整することができる。
【図面の簡単な説明】
【０００９】
【図１】本考案のつば付き帽子の一実施形態を示す後方斜視図である。
【図２】図１のつば付き帽子をリボンをほどいて示す斜視図である。
【考案を実施するための形態】
【００１０】
以下、本考案の実施の形態を図面に基づいて説明する。
【００１１】
図１および図２には、本考案のつば付き帽子１の一実施形態が示されている。
【００１２】
このつば付き帽子１は、クラウン部２の下端周縁部につば部３の内周縁部を一体に縫製して形成されている。
【００１３】
つば付き帽子１のクラウン部２には、その後端部に設定高さ位置を始端として下端縁にかけて三角形状の切欠部２ｘが形成されている。また、クラウン部２の左右各側端下部には、帯布状のリボン４の一端部がそれぞれ止着されている。このリボン４は、クラウン部２の後端部において、左右のリボン４を蝶結びなどによって結束した場合に、クラウン部２の切欠部２ｘをほぼ覆い隠すことのできる十分な大きさの結び目を形成することができるように、長さおよび幅が設定されている。そして、リボン４には、その止着端部側に位置して設定長さのゴムバンドなどの伸縮性基材（図示せず）が収容されており、伸縮性基材の伸びにリボン４が追従できるように、リボン４に緩みを持たせた状態でリボン４および伸縮性基材が一体に縫製されている。
【００１４】
一方、つば部３は、クラウン部２の下端周縁部の周長、すなわち、クラウン部２の切欠部２ｘの間隔を除く下端周縁部の周長に相当する周長の内周縁部を有している。そして、つば部３の左右の後端縁は、クラウン部２の切欠部２ｘの各斜辺にほぼ沿うようにそれぞれ連続するとともに、外周縁部に向かうにしたがってそれらの間隔が漸増するように形成されている。
【００１５】
この場合、クラウン部２の切欠部２ｘを閉鎖するように、左右の斜辺が重なるように引き寄せると、つまり、クラウン部２の周長を切欠部２ｘの間隔分短縮させると、つば部３の左右の後端縁も、ほぼ隙間を発生させることなく突き合わされるようになっている。
【００１６】
このようなつば付き帽子１は、クラウン部２を頭部に装着した際に、左右のリボン４を蝶結びなどで結束することにより、飾りリボンとして機能するとともに、その結び目によってクラウン部２の切欠部２ｘをほぼ覆い隠すことができる。しかも、リボン４の弾性力によってクラウン部２を介して頭部を緩やかに締め付けることから、フィット感を高めて風などによる脱落を防止することができる。この際、頭囲に対応して、切欠部２ｘの間隔が調整されるとともに、切欠部２ｘの調整に追従してつば部３の左右後端縁間の間隔が調整される。
【００１７】
したがって、クラウン部２の切欠部２ｘが人目に付きにくいクラウン部２の後端部に形成されるとともに、飾りリボンとしてのリボン４の結び目によって切欠部２ｘをほぼ覆い隠すことができることにより、外観上の違和感を発生せず、つば付き帽子１のファッション性を損なうことがない。また、リボン４の弾性力によってフィット感を高めて風などによる脱落を防止することができる。さらに、クラウン部２の切欠部２ｘの間隔分頭囲に合わせて調整することができることから、メーカにおいて、製造種類および在庫を圧縮することができ、一方、ユーザーにおいて、購入時とは髪型が相違することにより、あるいは、使用者が異なるために頭囲が変化したとしても、リボン４の結び直しによって頭囲に対応するように簡単に調整することができる。
【符号の説明】
【００１８】
１  つば付き帽子
２  クラウン部
２ｘ  切欠部
３  つば部
４  リボン
【図１】
0003166445.tif 000003
【図２】
0003166445.tif 000004